(57)【特許請求の範囲】
【請求項１】
異種の金属体を互いに接触又は近接させ、これを電気伝導体で成る容器内に収容して構成されると共に、前記異種の金属体がそれぞれＵ字形に湾曲した板材で成ることを特徴とする流体処理装置。
【請求項２】
異種の金属体を互いに接触又は近接させ、これを電気伝導体で成る容器内に収容して構成される流体処理装置であり、前記容器はその外面に湾状に入り込んだＵ字形の溝部を有すると共に、その容器内には前記溝部に沿って異種の金属体を収容する空洞部が形成され、その空洞部に収容された異種の金属体が前記溝部に沿ってＵ字形に湾曲したチタン板と銅板とで成ることを特徴とする流体処理装置。
【請求項３】
異種の金属体を収容した容器を金属製の外箱内に固定して成る請求項１、又は２記載の流体処理装置。
【請求項４】
異種の金属体を収容する容器がアルミニウム合金で成る請求項１〜３の何れかに記載の流体処理装置。
【発明の詳細な説明】
【０００１】
【発明の属する技術分野】
本発明は、ガソリンや灯油といった液体燃料をはじめとする油類ほか、空気その他のガス又は飲用の水などの流体を処理対象とする流体処理装置に関する。
【０００２】
【従来の技術】
従来、流体を活性化、無害化するなどの処理装置として、例えば自動車の排ガスに含まれる未燃焼成分を酸化したり、窒素酸化物を分解したりする触媒装置が知られる。その種の触媒装置には主に白金属系などの不均一触媒（固体触媒）が用いられるが、その他に液相に溶解するような反応系と同一な状態で用いられる均一触媒も知られる。
【０００３】
一方、排ガスその他の流体に永久磁石による磁力を作用せしめ、その磁力作用により流体を活性化させるという装置も種々提案されている。
【０００４】
【発明が解決しようとする課題】
然し乍ら、前者の触媒装置は触媒毒が触媒の活性サイトや吸着部位に強く結合したり、又はその触媒毒が触媒の電子状態に影響を及ぼしたりして、触媒作用を著しく低下させるか又は全く失わせてしまうことがある。特に、固体触媒は主として流体流路中に置かれるので、これによる流路抵抗が増し、流体の流通性が損なわれるという問題がある。
【０００５】
又、磁力作用を利用した流体処理装置の多くは、流路を形成する配管の外周に装着されるので流体の流通性を損なうことはないが、電子機器など磁力を嫌う物の近くで使用できないなどの問題があった。
【０００６】
本発明は以上のような事情に鑑みて成されたものであり、その目的は磁力を使わずして流体に直接接触させずに用いることのできる簡易構造の流体処理装置を提供することにある。
【０００７】
【課題を解決するための手段】
本発明は上記目的を達成するため、異種の金属体を互いに接触又は近接させ、これを電気伝導体で成る容器内に収容して構成されると共に、前記異種の金属体がそれぞれＵ字形に湾曲した板材で成ることを特徴とする。
【０００８】
又、異種の金属体を互いに接触又は近接させ、これを電気伝導体で成る容器内に収容して構成される流体処理装置であり、前記容器はその外面に湾状に入り込んだＵ字形の溝部を有すると共に、その容器内には前記溝部に沿って異種の金属体を収容する空洞部が形成され、その空洞部に収容された異種の金属体が前記溝部に沿ってＵ字形に湾曲したチタン板と銅板とで成ることを特徴とする。
【０００９】
更に、異種の金属体を収容した容器を金属製の外箱内に固定するほか、前記容器がアルミニウム合金で成ることを特徴とする。
【００１０】
【発明の実施の形態】
以下、本発明の適用例を図面に基づいて詳細に説明する。先ず、図１は本発明に係る流体処理装置の好適な態様を示した斜視概略図である。図１において、１は電気伝導体から成る馬蹄形をした容器であり、この容器１は互いに結合する開閉可能な一対の外殻１Ａ，１Ａで構成される。
【００１１】
特に、本例において、容器１は2000系(Al-Cu合金)、3000系(Al-Mn合金)、4000系(Al-Si合金)、5000系(Al-Mｇ合金)、6000系(Al-Mg-Si合金)、または7000系(Al-Zn-Mg合金)などのアルミニウム合金で成り、その外面には湾状に入り込んだＵ字形の溝部２が形成される。
【００１２】
一方、３は容器１を内蔵する外箱であり、この外箱３は耐食性に富むステンレス鋼などの金属から成り、その形態は本例において幅４０mm、高さ４３mm、全長１２０mmの角柱体とされる。
【００１３】
ここに、容器１は外箱３内に押し込むか又は溶接するなどして定位置に固定され、その溝部２が外箱３における所定の側壁面３Ａに臨むようにしてある。尚、外箱３は容器１を収容した後でその一端部を溶接するなどして閉鎖し、その内部に密閉された空間を形成する。
【００１４】
次に、図２は容器を分解した状態を示す。この図で明らかなように、容器１を構成する一対の外殻１Ａ，１Ａ内には、溝部２を囲むようにして円弧状の空洞部４が形成される。そして、かかる容器１によれば、その空洞部４に異種の金属体５Ａ，５Ｂを填め込んで一対の外殻１Ａ，１Ａを結合することにより、その内部に金属体５Ａ，５Ｂが固定状態で収容される構成としてある。
【００１５】
その金属体５Ａ，５Ｂは、それぞれ溝部２に沿ってＵ字形に湾曲した厚さ１mm程度の板材で成り、本例においてその一方５Ａがチタン板とされ、他方５Ｂは銅板とされている。
【００１６】
尚、実験の結果では、金属体５Ａ，５Ｂとして上記のようにチタンと銅の組み合わせが最適であったが、その材質の組み合わせ（５Ａ−５Ｂ）として、銅−錫、銅−ニッケル、銅−鉄、銅−マグネシウム、銅−亜鉛、銅−鉛、銅−金、銅−銀、銅−白金、銅−パラジウム、銅−コバルト、錫−チタン、錫−ニッケル、錫−鉄、錫−マグネシウム、錫−亜鉛、錫−鉛、錫−金、錫−銀、錫−白金、錫−パラジウム、錫−コバルト、ニッケル−チタン、ニッケル−鉄、ニッケル−マグネシウム、ニッケル−亜鉛、ニッケル−鉛、ニッケル−金、ニッケル−銀、ニッケル−白金、ニッケル−パラジウム、ニッケル−コバルト、鉄−チタン、鉄−マグネシウム、鉄−亜鉛、鉄−鉛、鉄−金、鉄−銀、鉄−白金、鉄−パラジウム、鉄−コバルト、マグネシウム−チタン、マグネシウム−亜鉛、マグネシウム−鉛、マグネシウム−金、マグネシウム−銀、マグネシウム−白金、マグネシウム−パラジウム、マグネシウム−コバルト、亜鉛−チタン、亜鉛−鉛、亜鉛−金、亜鉛−銀、亜鉛−白金、亜鉛−パラジウム、亜鉛−コバルト、鉛−チタン、鉛−金、鉛−銀、鉛−白金、鉛−パラジウム、鉛−コバルト、金−チタン、金−銀、金−白金、金−パラジウム、金−コバルト、銀−チタン、銀−白金、銀−パラジウム、銀−コバルト、白金−チタン、白金−パラジウム、白金−コバルト、パラジウム−チタン、パラジウム−コバルト、チタン−コバルトなどが考えられる。
【００１７】
図３は、上記のような金属体５Ａ，５Ｂを容器１内に収容した状態を示す。この図で明らかなように材質が相違する二枚の金属体５Ａ，５Ｂは、互いに接触する状態で空洞部４内に填め込まれる。尚、金属体５Ａ，５Ｂを近接させるだけでもよいが、その間隔はヴォルタ効果が得られる程度に小さく（約１mm以下）設定することが肝要である。
【００１８】
次に、図４は以上のように構成される流体処理装置の使用例を示す。図４において、６はフライヤであり、その油槽７中には揚物用油Ｌが蓄えられている。そして、かかる処理装置によれば、油槽７の外壁面に宛がうことにより揚物用油Ｌの変質を抑制できる。その原因は今のところ必ずしも明確でないが、異種の金属体５Ａ，５Ｂによる接触電位差にもとづいて発生する接触電気現象（ヴォルタ効果）により、その微弱電流が流体（本例において揚物用油）に直接作用してクラスタを破壊し、これにより微粒化された油分子の表面に界面活性作用が及ぶためであると考えられる。
【００１９】
特に、金属体５Ａ，５ＢをＵ字形に湾曲させていることから、その内側に微弱電流が集まり、これが容器１の溝部２から外箱３を通じて増幅されつつ外部に放射されると考えられる。よって、本例では溝部２の位置が判るよう、図４に示す如く外箱３に容器の溝部が対応する側壁面を示すための目印Ｐ（本例において三角マーク）を付けている。
【００２０】
以上、本発明についてその好適な一例を説明したが、本発明に係る流体処理装置は上記例に限らず、例えば図５に示すよう外箱３をその外面にＶ字溝８をもつ形体として、そのＶ字溝８に容器１の溝部２を対向させて固定するようにしてもよい。そして、このような外箱３では流体流路を形成する大口径の管９の外周面にＶ字溝８を宛がって、その内部を流れる流体に微弱電流を集中的に作用せしめることができる。
【００２１】
尚、容器１を外箱３に内蔵せず、金属体５Ａ，５Ｂを収容した容器１だけの構成としてもよく、これによれば図６のように小口径の管１０の外周面に容器１の溝部２を宛がって、その内部を流れる流体に微弱電流を集中的に作用せしめることができる。
【００２２】
一方、金属体５Ａ，５Ｂを一組のみならず、その複数組を多層状に重合するようにしてもよい。
【００２３】
ここに、本願装置はそのほか水道管、人体部位、ガス管、煙突などの排気管、エアダクト、燃料タンク、又はその給油管などに宛がって、水、血液、燃料ガス、煤煙、空気、及び液体燃料などに微弱電流を作用せしめることができる。
【００２４】
【発明の効果】
以上の説明で明らかなように、本発明によれば、電気伝導体で成る容器内に異種の金属体を収容し、その各金属体を接触又は近接させていることから、その間に発生する微弱電流を水、空気、又は油などの流体に作用せしめ、その性質改善を見込むことができる。
【００２５】
特に、本願装置は流体に直接接触させずに使用できる態様であるから、従来の触媒装置のように流体に含まれる触媒毒で侵されず、流体の流通性も損なわず、しかも磁力を使わないので使用に際して場所を選ばず、電子機器類などに悪影響を及ぼさない。
【図面の簡単な説明】
【図１】本発明に係る流体処理装置の好適な一例を示した斜視図
【図２】同装置を構成する容器の斜視分解図
【図３】容器の内部を示した平面図
【図４】本発明に係る流体処理装置の使用態様を示した斜視図
【図５】本発明に係る流体処理装置の他の使用形態を示した斜視図
【図６】本発明に係る流体処理装置の他の使用形態を示した側面概略図
【符号の説明】
１  容器
１Ａ  外殻
２  溝部
３  外箱
４  空洞部
５Ａ，５Ｂ  異種の金属体
【図１】
0003689659.tif 000002
【図２】
0003689659.tif 000003
【図３】
0003689659.tif 000004
【図４】
0003689659.tif 000005
【図５】
0003689659.tif 000006
【図６】
0003689659.tif 000007